(57)【要約】【課題】起爆感度が低く、ＡＮＦＯ爆薬の取扱が簡便であるという利点を損なうことなく、従来のＡＮＦＯ爆薬に比べて装填比重が高く、破砕効果のみならず仕事効果が著しく向上し、穿孔間隔の拡大により穿孔作業の効率化を図り得る爆薬組成物を提供すること。【解決手段】平均粒径の異なる２種類以上のポーラスプリル硝酸アンモニウム及び燃料油を含有する爆薬組成物において、嵩比重が０．８０以上であることを特徴とする爆薬組成物。【特許請求の範囲】
【請求項１】
平均粒径が異なる２種類以上のポーラスプリル硝酸アンモニウムからなるポーラスプリル硝酸アンモニウム混合物及び燃料油を含有し、嵩比重が０．８０以上であることを特徴とする爆薬組成物。
【請求項２】
ポーラスプリル硝酸アンモニウム混合物が、平均粒径が０．１〜１．５ｍｍ、嵩比重が０．７０〜０．９０の範囲にあるポーラスプリル硝酸アンモニウム（ａ）と平均粒径が１．５〜３．０ｍｍ、嵩比重が０．７０〜０．８５の範囲にあるポーラスプリル硝酸アンモニウム（ｂ）の混合物である請求項１に記載の爆薬組成物。
【請求項３】
ポーラスプリル硝酸アンモニウム混合物が、ポーラスプリル硝酸アンモニウム（ａ）が１０〜８０重量％、ポーラスプリル硝酸アンモニウム（ｂ）が９０〜２０重量％である割合で両者を含有する請求項２に記載の爆薬組成物。
【請求項４】
ポーラスプリル硝酸アンモニウム混合物中、少なくとも１種類のポーラスプリル硝酸アンモニウムの吸油率が５．０〜２０．０％で且つ硬度が０．１〜１０．０％である請求項１〜３のいずれか一項に記載の爆薬組成物。
【請求項５】
ポーラスプリル硝酸アンモニウム混合物中少なくとも１種類のポーラスプリル硝酸アンモニウムが、基質内に微小中空粒子を含有する請求項１〜４のいずれか一項に記載の爆薬組成物。
【発明の詳細な説明】
【技術分野】
【０００１】
本発明は、採石、採鉱、採炭、ずい道掘進等の産業用発破作業に広く利用される爆薬組成物に関する。更に詳しくは、被破壊物の穿孔に直接装填して使用し得るポーラスプリル硝酸アンモニウム（硝安）系の粒状の爆薬組成物に関する。
【背景技術】
【０００２】
爆破作業等に用いられる産業用爆薬としては、ダイナマイト、含水爆薬、硝安爆薬、硝安油剤爆薬（以下ＡＮＦＯ爆薬と呼ぶ）等が良く知られている。これらの爆薬のうち、ＡＮＦＯ爆薬は比較的簡単に製造できる爆薬であり、通常流動性のある粒状を呈しているので、穿孔内に直接流し込んだり、ローダー等の装填機によって装填したりすることもできるという特徴がある。
【０００３】
ポーラスプリル硝安の反応性がニトログリセリンやニトログリコールのような爆発性化合物に比べてかなり低いことは良く知られている。従って、ポーラスプリル硝安が酸化剤として爆薬全体の９０重量％以上を占めることの多いＡＮＦＯ爆薬は、他の産業用爆薬と比較して威力は低いが、安価で安定であるという点から広く使用されている。また、その起爆感度は、火薬学会規格ＥＳ−３２（２）に爆轟起爆試験方法として規定されている塩ビ雨どい試験又はカートン試験において、６号雷管で完爆しないこととされており、その低感度故に例えば２５ｋｇ入り重袋への収納及びそれによる輸送が許されている。
【０００４】
近年、粒径、嵩比重及び吸油率等において特定の物性を有するポーラスプリル硝安を使用した低比重・高威力ＡＮＦＯ爆薬（特許文献１、特許文献２、特許文献３及び特許文献４）により使用爆薬量の低減が達成され、発破作業の効率化が図られ、低比重・高威力ＡＮＦＯ爆薬は、従来のポーラスプリル硝安を用いて製造されたＡＮＦＯ爆薬に替わって、採石、採鉱等の産業用爆破用途に広く利用され始めている。
【０００５】
一方、実際の発破作業において装薬孔の穿孔作業はコスト及び効率面で大きなウェイトを占めており、穿孔間隔の拡張、即ち穿孔数の削減が可能となれば、発破作業の顕著な効率化が図られることは間違いないものの、これを実現するには限られた装薬長で１孔当たりの十分な薬量が装薬可能な高性能の爆薬が必要となる。穿孔径を増大させることにより、１孔当たりの装薬量の増加及び薬径効果による爆薬の威力増加を利用することも可能であるが、１孔当たりの穿孔時間が長くなり、根本的な解決には至らない。
【０００６】
一般的に爆薬の性能は、動的効果と静的効果に分けられ、前者は爆轟圧による破砕効果、後者は爆発生成ガスの断熱膨張による仕事効果とみなされ、それぞれ爆速、弾動振子値の測定により求められる。爆轟圧（Ｐ）は近似的にＰ≒１／４ρＤ2（ρは爆薬の初期密度、Ｄは爆速）で表され、爆薬の初期密度、即ち装填比重及び爆速が高いほど大きくなる。しかしながら、装填比重の高い爆薬は一般的に起爆感度が低いため弾動振子値が低く、従って仕事効果が小さくなる。前記課題を達成するための高性能爆薬としては、高比重、且つ高感度であるという、相反する特性が要求され、その解決方法は未だ見出されていない。
【０００７】
ＡＮＦＯ爆薬を高比重化し、且つ高感度化する方法として、粉砕したポーラスプリル硝安を用いる方法がある。粉砕したポーラスプリル硝安を用いることにより、装填比重が増大し、爆薬の反応性が高まり、威力が増大することが知られている。また、特許文献１５では、平均粒径が異なる２種のポーラスプリル硝安と芳香族ジニトロ化合物を含有する爆薬組成物が記載され、このものは優れた仕事効果を与えることが知られている。
【０００８】
一方、粉砕したポーラスプリル硝安を用いたり、芳香族ジニトロ化合物を使用したりした場合、爆薬の反応性が向上すると同時に衝撃感度も増加するという問題があった。例えば、ＡＮＦＯ爆薬において、火薬学会規格ＥＳ−３２（２）に爆轟起爆試験方法として規定されている塩ビ雨どい試験又はカートン試験において不合格になるという問題があった。また、粉砕したポーラスプリル硝安は粒状の硝酸アンモニウムと比べ流動性が低く、固化し易いため、製造時や装薬時等における取り扱い、作業環境等に支障をきたし易いという問題があった。
【０００９】
【特許文献１】特開平７−６９７７２号公報
【特許文献２】特開平９−２７８５７８号公報
【特許文献３】特開２００１−３９７８９号公報
【特許文献４】特開２００１−１８１０８０号公報
【特許文献５】特開昭５５−５１７９４号公報
【特許文献６】特開平１１−１４７７８４号公報
【特許文献７】特開平１１−２７８９７４号公報
【特許文献８】特開平１０−２９１８８３号公報
【特許文献９】特開平１１−３２２４８１号公報
【特許文献１０】特開平８−２９５５８８号公報
【特許文献１１】特開平８−２６８７７号公報
【特許文献１２】特開平１１−７９８７８号公報
【特許文献１３】特開２０００−１６８９１号公報
【特許文献１４】特開２０００−３２７４７３号公報
【特許文献１５】特開平１０−１５８０８５号公報
【発明の開示】
【発明が解決しようとする課題】
【００１０】
本発明は、起爆感度が低く、取扱が簡便であるというＡＮＦＯ爆薬の利点を損なうことなく、装填比重が高く、破砕効果のみならず仕事効果が著しく向上し、穿孔間隔の拡大により穿孔作業の効率化を図ることができる爆薬組成物を提供することを目的とする。
【課題を解決するための手段】
【００１１】
本発明者らは、ポーラスプリル硝安の粒径、嵩比重等の各種物理的性質及びその爆薬性能について鋭意研究をした結果、特定の物性を有する２種類以上のポーラスプリル硝安混合物及び燃料油からなる爆薬組成物が、雷管起爆性を示すことなく従来のＡＮＦＯ爆薬同様の優れた取扱性を有し、発破時の装填比重の上昇にも拘わらず、優れた破砕効果と共に著しく高い静的効果を示すことを見出し、本発明を完成させたものである。
【００１２】
すなわち本発明は、
（１）平均粒径が異なる２種類以上のポーラスプリル硝酸アンモニウムからなるポーラスプリル硝酸アンモニウム混合物及び燃料油を含有し、嵩比重が０．８０以上であることを特徴とする爆薬組成物、
（２）ポーラスプリル硝酸アンモニウム混合物が、平均粒径が０．１〜１．５ｍｍ、嵩比重が０．７０〜０．９０の範囲にあるポーラスプリル硝酸アンモニウム（ａ）と平均粒径が１．５〜３．０ｍｍ、嵩比重が０．７０〜０．８５の範囲にあるポーラスプリル硝酸アンモニウム（ｂ）の混合物である上記（１）に記載の爆薬組成物、
（３）ポーラスプリル硝酸アンモニウム混合物が、ポーラスプリル硝酸アンモニウム（ａ）が１０〜８０重量％、ポーラスプリル硝酸アンモニウム（ｂ）が９０〜２０重量％である割合で両者を含有する上記（２）に記載の爆薬組成物、
（４）ポーラスプリル硝酸アンモニウム混合物中、少なくとも１種類のポーラスプリル硝酸アンモニウムの吸油率が５．０〜２０．０％で且つ硬度が０．１〜１０．０％である上記（１）〜（３）のいずれか一項に記載の爆薬組成物、
（５）ポーラスプリル硝酸アンモニウム混合物中少なくとも１種類のポーラスプリル硝酸アンモニウムが、基質内に微小中空粒子を含有する上記（１）〜（４）のいずれか一項に記載の爆薬組成物
に関する。
【発明の効果】
【００１３】
本発明の爆薬組成物は、穿孔径の増大を必要とせず１孔当たりの装薬量を増加させることを可能とし、従来のＡＮＦＯ爆薬と同様に取扱うことが可能である一方で、従来のＡＮＦＯ爆薬に比べて装填比重が著しく上昇し、高威力で破砕効果に優れると共に非常に優れた仕事効果を有するため、穿孔間隔の拡張、即ち穿孔作業の効率化、延いては発破作業の効率化を図ることができる。
【発明を実施するための最良の形態】
【００１４】
以下本発明を詳細に記載する。
本発明の爆薬組成物は、平均粒径が異なる２種類以上のポーラスプリル硝安を含有し、その嵩比重が０．８０以上であるが、０．９５以下のものが好ましい。爆薬組成物の嵩比重は、添加した燃料油の種類及び添加量にもよるが、燃料油は殆どポーラスプリル硝安に吸収されるため、ポーラスプリル硝安の嵩比重によって決定される度合いが大きい。
本発明において用いられるポーラスプリル硝安混合物は、平均粒径が異なる２種以上のポーラスプリル硝安からなり、本発明の目的が達成できる限り混合する種類数に特に制限はないが、２種のポーラスプリル硝安を混合するのが好ましい。本発明の爆薬組成物に好ましく使用されるポーラスプリル硝安混合物は、平均粒径が０．１〜１．５ｍｍ、好ましくは０．５〜１．４ｍｍで嵩比重が０．７０〜０．９０、好ましくは０．７２〜０．８５の範囲のポーラスプリル硝安（ａ）と平均粒径が１．５〜３．０ｍｍ、好ましくは１．５〜２．５ｍｍで嵩比重が０．７０〜０．８５、好ましくは０．７０〜０．８０の範囲にあるポーラスプリル硝安（ｂ）を混合したものである。ポーラスプリル硝安（ａ）とポーラスプリル硝安（ｂ）からなるポーラスプリル硝安混合物における両者の混合比率は、ポーラスプリル硝安混合物中でポーラスプリル硝酸アンモニウム（ａ）が１０〜８０重量％、好ましくは２０〜６０重量％、ポーラスプリル硝酸アンモニウム（ｂ）が９０〜２０重量％、好ましくは８０〜４０重量％の範囲が好ましい。両者の混合割合がこの範囲外になると高比重でかつ高威力といった本発明の効果を奏しない場合がある。
更に、本発明の爆薬組成物に使用されるポーラスプリル硝安の内少なくとも１種類は、吸油率が５．０〜２０．０％、好ましくは７．０〜１５．０％、硬度が０．１〜１０．０％、好ましくは２．０〜１０．０％のものが使用される。
ポーラスプリル硝安混合物は、爆薬組成物中で通常６５〜９６重量％、好ましくは７５〜９５重量％を占める割合で使用される。
【００１５】
ポーラスプリル硝安又は爆薬組成物の嵩比重はＪＩＳ  Ｋ−６７２１に規定の方法に準じて測定される。即ち、一定量のポーラスプリル硝安又は爆薬組成物を一定の高さから、支持棒に支持された下部にダンパーを有する漏斗を用いて、支持台上に設置した円筒形コップ内に落下させ、コップ上に盛り上がったポーラスプリル硝安又は爆薬組成物を除去した後、コップ内のポーラスプリル硝安又は爆薬組成物を秤量することによって測定される。詳しくは、上端の直径９０ｍｍ、下端の直径１５ｍｍ、高さ１１５ｍｍの漏斗を、漏斗下端と支持台上の深さ８０ｍｍ、容積１００ｃｍ3のコップ上端との距離が４５ｍｍとなるように設置し、漏斗内にポーラスプリル硝安又は爆薬組成物１００ｇを入れ、ダンパーをスライドさせてコップ内にポーラスプリル硝安又は爆薬組成物を落下させる。振動を与えないように注意してコップの上に盛り上がったポーラスプリル硝安又は爆薬組成物をヘラでコップの上端と同じ高さで水平になるように払いのける。次いでコップの外側に付着したポーラスプリル硝安又は爆薬組成物を除去して、コップ内のポーラスプリル硝安又は爆薬組成物の重量を上皿直示天秤で秤量し、これを試料重量とする。以上の測定を終えた後、下記（１）式により嵩比重を算出する。
【００１６】
嵩比重＝試料重量（ｇ）／１００（ｃｍ3）     （１）
【００１７】
ポーラスプリル硝安の平均粒径は、メディアン径（５０％粒径）のことである。詳しくは、目開き０．４２５ｍｍ、０．５０ｍｍ、０．８５ｍｍ、１．００ｍｍ、１．１８ｍｍ、１．４０ｍｍ、１．７０ｍｍ、２．３６ｍｍの篩でポーラスプリル硝安１００ｇを通し、各篩目毎に残留するポーラスプリル硝安の重量から累積粒度分布曲線を作成し、累積重量が試料全重量の５０％となる粒径を算出する。なお、篩は目開きの小さいものから順に重ねてポーラスプリル硝安を入れ、振とう機を使用して５分間振とうする。
【００１８】
ポーラスプリル硝安の吸油率は、一定量の試料ポーラスプリル硝安を、軽油に一定時間浸しておいた後、吸引ろ過し、試験前後の重量差より軽油の吸着量を算出することによって測定される。詳しくは試料ポーラスプリル硝安５０ｇを直径４０ｍｍ、深さ５０ｍｍのガラスフィルター（１１Ｇ−１）に入れ、上皿直示天秤で秤量し、これを真空装置にセットする。ついでガラスフィルター中に軽油４０ｍｌを注入し、細い棒でよく撹拌し、ポーラスプリル硝安と軽油の混合接触を図る。５分間放置後、ガラスフィルターに付属した外部のコックを開放し、２分間軽油を自然流下させる。引き続き真空ポンプにて５分間吸引（流速：約３０ｌ／ｍｉｎ）した後、軽油を吸着した試料のポーラスプリル硝安の入ったままのガラスフィルターを、上皿直示天秤で秤量する。ここで増量分が軽油の吸着分である。以上の測定を終えた後、元の試料ポ−ラスプリル硝安５０ｇに対する軽油吸着分（ｇ）の比率（％）を、吸油率（％）として表示する。計算式は下記（２）式の通りである。
【００１９】
吸油率（％）＝軽油吸着分（ｇ）／試料５０（ｇ）×１００    （２）
【００２０】
ポーラスプリル硝安の吸油率は、主として粒子の内部に分布する細孔の容積や有効径によって左右されるものであり、例えば細孔容積が大きければ、粒子内部に軽油を保持し得る空間が大となるので、吸油率が大となる。
【００２１】
ポーラスプリル硝安の硬度は、一定量のポーラスプリル硝安の試料を硬度測定装置により一定の条件で機械的に粉砕し、粉砕された量を計ることにより測定される。
測定に使用される装置は、試料注入用漏斗、圧縮空気流入孔（内径４ｍｍ、長さ５５ｍｍ）に接続した流送管（内径１６ｍｍ、長さ１７５ｍｍ）、それら接続部上部と漏斗を垂直に接続する試料注入管（内径１２ｍｍ、長さ５２ｍｍ）及び流送管と垂直に接続した試料粉砕管（内径５０ｍｍ、長さ３１５ｍｍ）から構成されている。
【００２２】
３５ｍｅｓｈ篩で粉末を除去した試料ポーラスプリル硝安１００ｇを漏斗から試料注入管を通して流送管に落下注入し、流入孔から流入した圧縮空気（４ｋｇ／ｃｍ2）により、試料ポーラスプリル硝安を、流送管を通して粉砕管内壁に衝突させ試料ポーラスプリル硝安を粉化させる。流送後の試料ポーラスプリル硝安を３５ｍｅｓｈで篩分けし、＋３５ｍｅｓｈ量（Ｎ）を秤量し、元の試料ポーラスプリル硝安１００ｇに対する粉化量の比率（％）として表示する。計算式は下記（３）式の通り。
【００２３】
硬度（％）＝１００（ｇ）−Ｎ（ｇ）        （３）
【００２４】
更に、本発明の爆薬組成物に使用されるポーラスプリル硝安の内少なくとも１種類は、基質内に微小中空粒子を含有するものが好ましく、またこれを粉砕したポーラスプリル硝安も使用可能である。ポーラスプリル硝安中の微小中空粒子は、主に比重調整剤等として用いられているもので、使用しうる微小中空粒子の具体例を挙げれば、樹脂マイクロバルーン、ガラスバルーン、金属中空粒子、シラスバルーンのような天然又は合成の多孔性物質等があり、これらは単独又は２種類以上混合して使用される。本発明の爆薬組成物においては上記のうち樹脂マイクロバルーンが好ましいものとして挙げられる。本発明において中空微粒子は、通常５〜１５００μｍのものが使用され、ポーラスプリル硝安に対して通常１．０×１０−６〜10重量％、好ましくは０．０５〜１０重量％が含有される。
【００２５】
本発明の爆薬組成物に用いられる燃料油としては、混合時に液体である燃料油を用いるのが好ましい。使用し得る燃料としては軽油、灯油等の鉱物油、植物油、動物油等が挙げられる。
【００２６】
この他、用途によってメチルアルコール、エチルアルコール等のアルコール類、パラフィンワックス、マイクロクリスタリンワックス等のワックス類等を燃料油として単独又は混合して用いることができる。この際、融点の高い燃料油は、それが液状になる温度以上で、ポーラスプリル硝安と混合する事によって用いることができる。
燃料油は、通常爆薬組成物中で２．５〜２５重量％、好ましくは４〜１０重量％を占める範囲で使用する。
【００２７】
本発明の爆薬組成物は必要によって、静電気発生防止の措置を施すことができる。例えば水溶性又は油溶性の帯電防止剤（特許文献５、特許文献６及び特許文献７）として知られる各種界面活性剤や、デンプン類（特許文献８）、脂肪酸アミド（特許文献９）等の帯電防止機能のある添加剤を加えることができる。
【００２８】
本発明の爆薬組成物は、必要によりポーラスプリル硝安以外の酸化剤、例えば硝酸カリウムや過塩素酸塩、更には木粉、アルミニウム粉のような粉末追加燃料、あるいはポリアクリル酸ナトリウムのような増粘安定剤（特許文献１０）、シラスバルーンのような比重調整材（特許文献１１）、アンモニアガス抑制剤として知られる有機酸（特許文献１２）、吸水剤（特許文献１３、特許文献１４）等、他の添加剤を加えることが可能である。
【００２９】
本発明の爆薬組成物は、ニーダーあるいは回転ミキサーのような混合機で、ポーラスプリル硝安と燃料油を必須の成分として、さらに必要によりその他の添加剤を均一に混合することによって製造される。また、撹拌、混合の機能を備えているならば、他の混合機も使用可能である。
【実施例】
【００３０】
本発明を実施例を挙げて更に詳しく説明するが、本発明がこれらの実施例のみに限定されるものではない。尚、実施例において部は重量部を示す。
【００３１】
実施例１
平均粒径１．２ｍｍ、嵩比重０．７４、吸油率１４．９％、硬度７．０％のポーラスプリル硝安と樹脂マイクロバルーンを含有する平均粒径２．０ｍｍ、嵩比重０．７５、吸油率１１．７％、硬度２．１％のポーラスプリル硝安の重量比３０：７０の混合物９４．０部を室温のシグマ翼を備えた横型ニーダーに移し、室温で２号軽油６．０部を添加し、１分当たり９０回転の速度で５分間混合し、本発明の爆薬組成物１００部を得た。
【００３２】
実施例２
平均粒径１．２ｍｍ、嵩比重０．７４、吸油率１４．９％、硬度７．０％のポーラスプリル硝安と樹脂マイクロバルーンを含有する平均粒径２．０ｍｍ、嵩比重０．７５、吸油率１１．７％、硬度２．１％のポーラスプリル硝安の重量比５０：５０の混合物９４．０部を室温のシグマ翼を備えた横型ニーダーに移し、室温で２号軽油６．０部を添加し、１分当たり９０回転の速度で５分間混合し、本発明の爆薬組成物１００部を得た。
【００３３】
実施例３
平均粒径１．１ｍｍ、嵩比重０．７８、吸油率１０．６％、硬度１１．２％のポーラスプリル硝安と平均粒径１．９ｍｍ、嵩比重０．７５、吸油率１２．５％、硬度２．１％のポーラスプリル硝安の重量比５０：５０の混合物９４．７部を室温のシグマ翼を備えた横型ニーダーに移し、室温で２号軽油５．０部、脂肪酸アミド（脂肪酸アマイドＳ：花王（株）製）０．３部を添加し、１分当たり９０回転の速度で５分間混合し、本発明の爆薬組成物１００部を得た。
【００３４】
比較例１
平均粒径１．８ｍｍ、嵩比重０．７６、吸油率１３．５％、硬度７．０％のポーラスプリル硝安９４．０部を室温のシグマ翼を備えた横型ニーダーに移し、室温で２号軽油６．０部を添加し、１分当たり９０回転の速度で５分間混合し、比較用の爆薬組成物１００部を得た。
【００３５】
比較例２
平均粒径１．９ｍｍ、嵩比重０．８２、吸油率８．４％、硬度２．３％のポーラスプリル硝安９４．７部を室温のシグマ翼を備えた横型ニーダーに移し、室温で２号軽油５．０部、脂肪酸アミド（脂肪酸アマイドＳ：花王（株）製）０．３部を添加し、１分当たり９０回転の速度で５分間混合し、比較用の爆薬組成物１００部を得た。
【００３６】
比較例３
平均粒径１．２ｍｍ、嵩比重０．７４、吸油率１４．９％、硬度７．０％のポーラスプリル硝安９４．０部を室温のシグマ翼を備えた横型ニーダーに移し、室温で２号軽油６．０部を添加し、１分当たり９０回転の速度で５分間混合し、比較用の爆薬組成物１００部を得た。
【００３７】
比較例４
樹脂マイクロバルーンを含有する平均粒径２．０ｍｍ、嵩比重０．７５、吸油率１１．７％、硬度２．１％のポーラスプリル硝安９４．０部を室温のシグマ翼を備えた横型ニーダーに移し、室温２号軽油６．０部を添加し、１分当たり９０回転の速度で５分間混合し、比較用の爆薬組成物１００部を得た。
【００３８】
性能試験
（１）爆速試験（塩ビ法）
実施例１〜３及び比較例１〜４で得られた各爆薬組成物を内径３５ｍｍ、厚さ３．５ｍｍの鋼管中に２００〜２５０ｇ流し込み、３０ｇの含水爆薬（アルテックス：日本化薬（株）製）をブースターとして６号雷管で起爆し、爆速を測定した。
【００３９】
（２）起爆感度試験
実施例１〜３及び比較例１〜４で得られた各爆薬組成物を火薬学会規格ＥＳ−３２（２）で規定されている塩ビ雨どい試験において６号雷管で起爆した。
【００４０】
（３）弾動振子試験
実施例１〜３及び比較例１〜４で得られた各爆薬組成物を内径３０ｍｍ、厚さ５．０ｍｍの紙管中に９０ｇ流し込み、１０ｇの含水爆薬（アルテックス：日本化薬（株）製）をブースターとして６号雷管で起爆し、弾動振子値を測定した。
【００４１】
これらの試験結果を表１に示す。
表１                
性能試験
実施例１        実施例２        実施例３
嵩比重                ０．８３        ０．８２        ０．８２
爆速（ｍ／ｓｅｃ      ３２５０        ３３００        ３２００
起爆感度（塩ビ法）      不完爆          不完爆          不完爆
弾動振子値（ｍｍ）        ７５            ７３            ７０
比較例１        比較例２        比較例３        比較例４
嵩比重                ０．７８        ０．８３        ０．７８        ０．７９
爆速（ｍ／ｓｅｃ）    ２９００        ２１００        ３３００        ２６００
起爆感度（塩ビ法）      不完爆          不完爆          不完爆          不完爆
弾動振子値（ｍｍ）        ６１            ５９            ６５            ６９
【００４２】
表１より、実施例１〜３の本発明の爆薬組成物は、比較例１の爆薬に比べて嵩比重が高く、また、爆速値が高く、優れた破砕効果を有することが分かる。更に高い嵩比重にも拘わらず弾動振子値が著しく大きく、非常に優れた仕事効果を有することが分かる。また、実施例１〜３の本発明の爆薬組成物の嵩比重は、比較例２の爆薬と同等であるが、爆速値及び弾動振子値が著しく大きいことが明らかである。更に、実施例１〜２と比較例３〜４の爆薬組成物の比較により、平均粒径が異なるポーラスプリル硝安を混合することにより、嵩比重が高くなるにも拘わらず、それぞれを単独で使用した爆薬組成物に較べ弾動振子値が大きくなり爆薬性能が向上していることが分かる。以上の結果から、実施例１〜３の本発明の爆薬組成物は、実際の発破作業において穿孔間隔の拡張、即ち穿孔数の削減を実現し得る高比重・高感度のＡＮＦＯ爆薬であることが明らかである。なお、表１に示したように本発明の爆薬組成物の起爆感度は、６号雷管で何れも不完爆（塩ビ法）であり、ＡＮＦＯ爆薬本来の優れた取扱性が損なわれていないことが確認された。